【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】限定的情報提供方法及びそのシステム、情報発信装置、移動情報端末、移動情報端末を用いた集客方法、並びにプログラム
【手続補正２】
【補正対象書類名】明細書
【補正対象項目名】特許請求の範囲
【補正方法】変更
【補正の内容】
【特許請求の範囲】
【請求項１】
店舗、企業の事業所、公共施設等の情報発信箇所に情報発信装置を設置し、該情報発信箇所に関連した情報、該情報発信箇所で取り扱う商品に関連した情報、広告に関連した情報、及び地域関連情報の少なくとも一つからなる提供対象情報を、該情報発信装置に記憶させておき、該情報発信装置から該情報発信箇所の周辺に限定された情報提供地域に向けて、該提供対象情報を片方向的に繰り返し送信し、該情報提供地域に入った移動情報端末に、該情報発信装置から受信した提供対象情報のうち特定の提供対象情報のみを選択的に出力させることを特徴とする限定的情報提供方法。
【請求項２】
情報提供地域ごとの情報発信箇所に設置した情報発信装置から、該情報提供地域に向けて、該情報提供地域に関連した地域関連情報を提供対象情報として片方向的に繰り返し送信し、該情報提供地域に入った移動情報端末に、該情報発信装置から受信した提供対象情報のうち特定の提供対象情報のみを選択的に出力させることを特徴とする限定的情報提供方法。
【請求項３】
請求項１又は２の限定的情報提供方法において、
上記移動情報端末内に、選択的に出力させる提供対象情報を特定するための選択出力情報を予め記憶させておき、
該移動情報端末に、該選択出力情報に基づいて該特定の提供対象情報のみを選択的に出力させることを特徴とする限定的情報提供方法。
【請求項４】
請求項３の限定的情報提供方法において、
上記情報発信装置から、上記提供対象情報とともに該提供対象情報の種類を識別するための識別情報を送信し、
上記移動情報端末に、該提供対象情報とともに該識別情報を受信させ、該識別情報と上記選択出力情報とに基づいて該特定の提供対象情報のみを選択的に出力させることを特徴とする限定的情報提供方法。
【請求項５】
請求項１、３又は４の限定的情報提供方法において、
上記選択出力情報が、個別の店舗の客待ち情報、割引情報等の店舗情報のみを選択的に出力させるための情報であることを特徴とする限定的情報提供方法。
【請求項６】
提供対象情報のデータ及び該提供対象情報の種類を識別するための識別情報のデータを記憶するデータ記憶部と該データ記憶部に対するデータの書き込み及び読み出しを行なうためのデータ処理部と該データ記憶部から読み出した該提供対象情報及び該識別情報を含む送信信号を繰り返し無線送信する送信部とを有する情報発信装置を、情報発信箇所に設置し、
該情報発信装置から、該情報発信箇所の周辺に限定された情報提供地域に向けて、該送信信号を片方向的に繰り返し無線送信すること特徴とする限定的情報提供システム。
【請求項７】
情報提供地域ごとの情報発信箇所に設置した情報発信装置から該情報提供地域に向けて片方向的に送信されてきた提供対象情報を含む送信信号を受信する受信部と、
該提供対象情報に関する選択出力情報のデータ及び該提供対象情報の種類を識別するための識別情報のデータを予め記憶しておくデータ記憶部と、
該データ記憶部に記憶されている該選択出力情報及び該識別情報に基づいて、該受信部で受信した信号に含まれる提供対象情報の中から特定の提供対象情報を選択するデータ処理部と、
該データ処理部で選択された該特定の提供対象情報を出力する出力部とを備えたことを特徴とする移動情報端末。
【請求項８】
請求項６の限定的情報提供システムを構成する上記情報発信装置におけるデータ処理を、該情報発信装置に組み込まれたコンピュータで実行するためのプログラム。
【請求項９】
請求項７の移動情報端末におけるデータ処理を、該移動情報端末に組み込まれたコンピュータで実行するためのプログラム。
【請求項１０】
移動情報端末の使用者である顧客を移動情報端末を用いて集めるための集客方法であって、
店舗、企業の事業所、公共施設等の情報発信箇所に情報発信装置を設置し、該情報発信箇所に関連した情報、該情報発信箇所で取り扱う商品に関連した情報、広告に関連した情報、及び地域関連情報の少なくとも一つからなる該顧客の便宜に結びつく提供対象情報を、該情報発信装置に記憶させておき、該情報発信装置から該情報発信箇所の周辺に限定された情報提供地域に向けて、該提供対象情報を片方向的に繰り返し送信し、該情報提供地域に入った移動情報端末に該提供対象情報を出力させ、該提供対象情報を取得した顧客に対して便宜を提供することを特徴とする移動情報端末を用いた集客方法。
【請求項１１】
特定の接続先に接続するための接続先情報が付加された配信情報を発信する情報発信装置であって、
提供対象情報のデータ及び該提供対象情報の種類を識別するための識別情報のデータを記憶するデータ記憶部と、
該データ記憶部に対するデータの書き込み及び読み出しを行なうためのデータ処理部と、
該データ記憶部から読み出した該提供対象情報及び該識別情報を含む配信情報の送信信号を繰り返し無線送信する送信部とを備えたこと特徴とする情報発信装置。
【手続補正３】
【補正対象書類名】明細書
【補正対象項目名】０００１
【補正方法】変更
【補正の内容】
【０００１】
【発明の属する技術分野】
本発明は、店舗、企業の事業所、公共施設等の情報発信箇所に設置した情報発信装置を用いて、携帯電話機等の移動情報端末の使用者に、地域関連情報や広告情報等の情報を限定的に提供することができる限定的情報提供方法及びそのシステム、情報発信装置、移動情報端末、移動情報端末を用いた集客方法、並びにプログラムに関するものである。
【手続補正４】
【補正対象書類名】明細書
【補正対象項目名】０００５
【補正方法】変更
【補正の内容】
【０００５】
本発明は、以上の背景に鑑みなされたものであり、その目的とするところは、各店舗等に設けた情報発信装置から一方的に発信された情報を移動情報端末の使用者等の希望に応じて選択的に提供することができる限定的情報提供方法及びそのシステム、情報発信装置、移動情報端末、移動情報端末を用いた集客方法、並びに限定的情報提供システム又は移動情報端末におけるデータ処理をコンピュータで実行するためのプログラムを提供することである。
【手続補正５】
【補正対象書類名】明細書
【補正対象項目名】００１５
【補正方法】変更
【補正の内容】
【００１５】
請求項１０の発明は、移動情報端末の使用者である顧客を移動情報端末を用いて集めるための集客方法であって、店舗、企業の事業所、公共施設等の情報発信箇所に情報発信装置を設置し、該情報発信箇所に関連した情報、該情報発信箇所で取り扱う商品に関連した情報、広告に関連した情報、及び地域関連情報の少なくとも一つからなる該顧客の便宜に結びつく提供対象情報を、該情報発信装置に記憶させておき、該情報発信装置から該情報発信箇所の周辺に限定された情報提供地域に向けて、該提供対象情報を片方向的に繰り返し送信し、該情報提供地域に入った移動情報端末に該提供対象情報を出力させ、該提供対象情報を取得した顧客に対して便宜を提供することを特徴とするものである。
この請求項１０の集客方法では、顧客の移動情報端末に、顧客の便宜に結びつく提供対象情報を出力させ、この情報を取得した顧客に便宜を提供することにより、集客力を高める。
請求項１１の発明は、特定の接続先に接続するための接続先情報が付加された配信情報を発信する情報発信装置であって、提供対象情報のデータ及び該提供対象情報の種類を識別するための識別情報のデータを記憶するデータ記憶部と、該データ記憶部に対するデータの書き込み及び読み出しを行なうためのデータ処理部と、該データ記憶部から読み出した該提供対象情報及び該識別情報を含む配信情報の送信信号を繰り返し無線送信する送信部とを備えたこと特徴とするものである。
この請求項１１の情報発信装置では、データ記憶部に記憶されている提供対象情報及び識別情報をデータ処理部で読み出し、送信部で提供対象情報及びその提供対象情報の種類を識別するための識別情報を含む送信信号を繰り返し無線送信する。
【手続補正６】
【補正対象書類名】明細書
【補正対象項目名】００２９
【補正方法】変更
【補正の内容】
【００２９】
【発明の効果】
請求項１乃至１１の発明によれば、情報提供地域に入った移動情報端末の使用者に対して、各店舗等に設けた情報発信装置から一方的に発信された情報を、移動情報端末の使用者等の希望に応じて選択的に提供することができるという優れた効果がある。
特に、請求項３及び７の発明によれば、移動情報端末上に出力させたい情報を、移動情報端末に予め登録しておくことができるという優れた効果がある。
特に、請求項４及び７の発明によれば、情報発信装置から移動情報端末に提供対象情報の種類を識別するための識別情報も送られてくるので、この識別情報と移動情報端末に記憶した選択出力情報とを対比させて、移動情報端末の使用者等の希望に応じた選択的な情報提供より確実に行なうことができるという優れた効果がある。
特に、請求項５の発明によれば、個別の店舗の客待ち情報、割引情報等の店舗情報のみに限定した情報提供を行なうことができるという優れた効果がある。
特に、請求項１０の発明によれば、移動情報端末の使用者等の便宜に結びつく提供対象情報のみに限定した情報提供を行ない、集客力を高めることができるという優れた効果がある。